(57)【要約】【課題】  携帯電話機とサーバ装置との間のデータ変換システムを提供する。【解決手段】  携帯電話機３と、携帯電話機３との間でデータの送受信が可能なサーバ装置１とから構成されるデータ変換システムにおいて、携帯電話機３は、ＣＰＵと、メモリと、ＣＣＤカメラと、通信装置とを備える。そして、携帯電話機３は、識別記号をＣＣＤカメラで撮影し、この撮影した画像データをＣＰＵによるメモリ内のプログラム実行に基づいた画像認識により文字データに変換し、この変換した文字データを通信装置を通じてサーバ装置１に送信する。【選択図】  図１
2006040288.tif 000002
【特許請求の範囲】
【請求項１】
携帯電話機と、前記携帯電話機との間でデータの送受信が可能なサーバ装置とから構成され、
前記携帯電話機は、ＣＰＵと、メモリと、ＣＣＤカメラと、通信装置とを備え、
前記携帯電話機は、識別記号を前記ＣＣＤカメラで撮影し、この撮影した画像データを前記ＣＰＵによる前記メモリ内のプログラム実行に基づいた画像認識により文字データに変換し、この変換した文字データを前記通信装置を通じて前記サーバ装置に送信することを特徴とするデータ変換システム。
【請求項２】
携帯電話機と、前記携帯電話機との間でデータの送受信が可能なサーバ装置とから構成され、
前記携帯電話機は、ＣＣＤカメラと、通信装置とを備え、
前記サーバ装置は、ＣＰＵと、メモリと、通信装置とを備え、
前記携帯電話機は、識別記号を前記ＣＣＤカメラで撮影し、この撮影した画像データを前記通信装置を通じて前記サーバ装置に送信し、
前記サーバ装置は、送信されてきた画像データを前記通信装置を通じて受信し、この受信した画像データを前記ＣＰＵによる前記メモリ内のプログラム実行に基づいた画像認識により文字データに変換することを特徴とするデータ変換システム。
【請求項３】
請求項１または２記載のデータ変換システムにおいて、
前記識別記号は、ポスター、店頭の看板、新聞や雑誌の広告ページ、通信販売のカタログの広告媒体に付されたものであることを特徴とするデータ変換システム。
【請求項４】
請求項１または２記載のデータ変換システムにおいて、
前記識別記号は、サービスの利用の前に発行される見積書、会計終了後に発行される領収書の取引書類に付されたものであることを特徴とするデータ変換システム。
【請求項５】
請求項１または２記載のデータ変換システムにおいて、
前記識別記号は、店頭広告用のディスプレイ装置、メッセージボード、ショッピングサイトのコンテンツの表示媒体に表示されたものであることを特徴とするデータ変換システム。
【請求項６】
請求項１または２記載のデータ変換システムにおいて、
前記識別記号は、文字列、バーコードの記号から構成されたものであることを特徴とするデータ変換システム。
【発明の詳細な説明】
【技術分野】
【０００１】
本発明は、例えば、企業、組合などの組織に対して一般利用者が会員登録を行うことにより、該組織内のグループに対して付与する報酬を決定する報酬決定システム等に関し、特に携帯電話機とサーバ装置との間のデータ変換システムに関する。
【背景技術】
【０００２】
商業、サービス業などを行っている企業において大きな利益を上げるためには、固定客として顧客を獲得することが重要となっている。この固定客を獲得するために、従来より、当該企業を利用した顧客を会員として登録し、登録した会員にバーゲンセールの案内などを送付したり、会員がその利用度に応じてポイントカードにポイントを貯め、貯めたポイントによって買い物をできるようにしたりしている。
【発明の開示】
【発明が解決しようとする課題】
【０００３】
しかしながら、従来、企業の利用者は、会員登録を行うためには所定のフォームに何らかの情報を記入しなければならず、作業負担がかかるという問題がある。また、企業の側にとっても、利用者が記入したデータをコンピュータに入力するための作業負担や、ポイントカードの発行のための作業負担がかかるという問題がある。このような両者における作業負担は、当該企業が会員として一般利用者を獲得することの妨げとなっていた。
【０００４】
また、企業グループ全体の会員として登録した利用者は、当該企業グループのどの企業、どの店舗において会員登録したかに関わらず、会員として同じような利益を得ることができる。しかし、従来は、このように企業グループ全体としての会員登録を行う場合に、会員を獲得した内部のグループが利益を得られる仕組みが十分に考えられていなかった。このため、例えば、会員獲得に熱心なグループとそうでないグループとの間に不公平が生じるという問題があった。
【０００５】
本発明は、企業、組合などの組織の利用に関して、利用者に手間をかけさせることなく、該組織内のグループが報酬として利益を得ることができる報酬決定システム等を提供することを目的とする。
【０００６】
本発明は、報酬を得る企業、組合などの組織内のグループから組織全体としての会員を効率的に得ることができる報酬決定システム等を提供することを目的とする。
【０００７】
本発明は、さらに、一般利用者を組織の会員として登録することによって、当該組織の利用者も利益を得ることができる報酬決定システム等を提供することを目的とする。
【０００８】
特に、本発明は、携帯電話機とサーバ装置との間のデータ変換システムを提供することを目的とする。
【課題を解決するための手段】
【０００９】
上記目的を達成するため、本発明の第１の観点にかかる報酬決定システムは、サーバ装置と、該サーバ装置にネットワークを介して接続された複数の利用者端末装置とから構成され、前記複数の利用者端末装置はそれぞれ、組織内のいずれかのグループを特定可能で、該組織に関する取引媒体に付された識別情報を入力する入力手段と、前記入力手段から入力された識別情報を当該利用者端末装置の利用者に関する情報と共に、前記ネットワークを介して前記サーバ装置に送信する情報送信手段とを備え、前記サーバ装置は、前記情報送信手段から送信された識別情報を受信する情報受信手段と、前記情報受信手段が受信した識別情報に基づいて、前記組織内のグループに付与する報酬を決定する報酬決定手段とを備えることを特徴とする。
【００１０】
上記報酬決定システムでは、利用者が自己の利用者端末装置から取引媒体に付された識別情報を入力し、サーバ装置に送信するだけという簡単な操作を行うことで、組織内の各グループは、自己を特定する識別情報が用いられることによって適正な報酬による利益を得ることができるようになる。なお、識別情報は、画像として取り込むことによって入力するものであっても構わない。
【００１１】
なお、前記報酬決定手段は、識別情報を受信する度に、受信した識別情報が示すグループに所定の報酬を支払うことを決定ものとすることができる。また、所定期間内に識別情報を受信した回数をグループ毎にカウントし、該カウント値に応じて報酬額を決定するものとすることもできる。
【００１２】
上記報酬決定システムにおいて、前記情報送信手段は、前記利用者端末装置の利用者に関する情報も前記サーバ装置に送信するものとすることができ、この場合、前記サーバ装置は、前記情報受信手段が受信した識別情報を各利用者と対応付けて登録する会員情報登録手段に登録する会員情報登録手段をさらに備えるものとすることができる。
【００１３】
これにより、当該組織の利用者が会員登録を行う際に、面倒な入力作業が省けると共に、組織側における情報の入力等の作業も必要ない。このように、利用者の側にとっても、組織（及び組織内の各グループ）にとっても、会員登録の作業が容易となるため、当該組織の会員として一般利用者を効率的に獲得、登録することができるようになる。
【００１４】
上記報酬決定システムにおいて、前記サーバ装置は、前記会員情報登録手段に各利用者と対応付けて登録された識別情報に応じて、各利用者にインセンティブを付与するインセンティブ付与手段をさらに備え、前記会員情報登録手段は、前記インセンティブ付与手段が付与したインセンティブに関する情報をさらに各利用者に対応付けて登録してもよい。この場合において、前記複数の利用者端末装置はそれぞれ、自己に付されたインセンティブに関する情報の送信に対する要求を、前記ネットワークを介して前記サーバ装置に送信するインセンティブ情報要求手段と、前記インセンティブ情報要求手段から送信された要求に対して前記サーバ装置から送られてきたインセンティブに関する情報を受信するインセンティブ情報受信手段と、前記インセンティブ情報受信手段が受信したインセンティブに関する情報を出力するインセンティブ情報出力手段とをさらに備えるものとすることができ、前記サーバ装置は、前記インセンティブ情報要求手段からの要求を受信するインセンティブ情報要求受信手段と、前記インセンティブ情報要求受信手段が受信した要求元の利用者に関して前記会員情報登録手段に登録されているインセンティブに関する情報を、要求元の利用者端末装置に前記ネットワークを介して送信するインセンティブ情報送信手段とをさらに備えるものとすることができる。
【００１５】
このように、利用者が識別情報を送信して会員として登録を行うことによって、その利用者に対してインセンティブが付与されるので、各利用者は、このインセンティブによる利益を得ることができるようになる。
【００１６】
上記報酬決定システムは、前記組織内の各グループに属し、それぞれネットワークを介して前記サーバ装置に接続された複数のグループ端末装置をさらに含むものであってもよい。この場合において、前記複数のグループ端末装置はそれぞれ、自グループを特定可能な識別情報が登録された会員情報の送信に対する要求を、前記ネットワークを介して前記サーバ装置に送信する会員情報要求手段と、前記会員情報要求手段から送信された要求に対して前記サーバ装置から送られてきた会員情報を受信する会員情報受信手段と、前記会員情報受信手段が受信した会員情報を出力する会員情報出力手段とをさらに備えるものとすることができ、前記サーバ装置は、前記会員情報要求手段からの要求を受信する会員情報要求受信手段と、前記会員情報要求受信手段が受信した要求に従って、該要求をしたグループ端末装置の属するグループを特定可能な識別情報が登録されている会員情報を、前記会員情報登録手段から抽出する会員情報抽出手段と、前記会員情報抽出手段が抽出した会員情報を、要求元のグループ端末装置に前記ネットワークを介して送信する会員情報送信手段とをさらに備えるものとすることができる。
【００１７】
上記目的を達成するため、本発明の第２の観点にかかる報酬決定方法は、組織内のいずれかのグループを特定可能で、該組織に関する取引媒体に付された識別情報を、ネットワークを介して利用者端末装置から受信するステップと、受信した識別情報に基づいて、前記組織内のグループに付与する報酬を決定するステップとを含むことを特徴とする。
【００１８】
上記目的を達成するため、本発明の第３の観点にかかる報酬決定サーバ装置は、組織内のいずれかのグループを特定可能で、該組織に関する取引媒体に付された識別情報を前記ネットワークを介して各利用者端末装置から受信する情報受信手段と、前記情報受信手段が受信した識別情報に基づいて、前記組織内のグループに付与する報酬を決定する報酬決定手段とを備えることを特徴とする。
【００１９】
上記報酬決定サーバ装置において、前記報酬決定手段は、前記識別情報の種類毎に、前記情報受信手段が識別情報を受信した回数を集計する集計手段を備え、前記集計手段の集計結果に従って各グループに付与する報酬を決定するものとすることができる。
【００２０】
上記報酬決定サーバ装置において、前記情報受信手段は、前記利用者端末装置の利用者に関する情報も受信するものであってもよい。この場合、上記報酬決定サーバ装置は、前記情報受信手段が受信した識別情報を各利用者と対応付けて会員情報として登録する会員情報登録手段をさらに備えるものとすることができる。
【００２１】
ここで、前記会員情報登録手段は、前記情報受信手段による識別情報の最初の受信時とは異なるタイミングで送られる所定の要求に従って、会員情報としての登録を行うことができ、前記報酬決定手段は、前記情報受信手段による識別情報の受信と、前記会員情報登録手段への会員情報の登録とのそれぞれに応じて、前記組織内のグループに付与する報酬を決定することができる。
【００２２】
さらに、前記会員情報登録手段に登録された会員情報に基づいて、前記組織に関するマーケティングデータを作成するマーケティングデータ作成手段を備えるものであってもよい。
【００２３】
また、各グループによりなされた要求に従って、該要求をしたグループ端末装置の属するグループを特定可能な識別情報が登録されている会員情報を、前記会員情報登録手段から抽出する会員情報抽出手段と、前記会員情報抽出手段が抽出した会員情報を出力する会員情報出力手段とをさらに備えるものとすることもできる。
【００２４】
また、前記会員情報登録手段に各利用者と対応付けて登録された識別情報に応じて、各利用者にインセンティブを付与するインセンティブ付与手段をさらに備えるものであってもよい。
【００２５】
この場合において、前記会員情報登録手段は、前記インセンティブ付与手段が付与したインセンティブに関する情報をさらに各利用者に対応付けて登録することができる。この場合、上記報酬決定サーバ装置は、各利用者によりなされた要求に対して、該要求を行った利用者に関して前記会員情報登録手段に登録されているインセンティブに関する情報を出力するインセンティブ情報出力手段をさらに備えるものとすることができる。
【００２６】
上記目的を達成するため、本発明の第４の観点にかかるプログラムは、複数の利用者端末装置とネットワークを介して接続されたコンピュータ装置を、組織内のいずれかのグループを特定可能で、該組織に関する取引媒体に付された識別情報を前記ネットワークを介して各利用者端末装置から受信する情報受信手段、及び、前記情報受信手段が受信した識別情報に基づいて、前記組織内のグループに付与する報酬を決定する報酬決定手段として機能させることを特徴とする。
【００２７】
なお、このプログラムは、例えばコンピュータ読み取り可能な記録媒体に記録して、配布するという形態を採ることができる。
【００２８】
特に、上記目的を達成するため、本発明のデータ変換システムは、携帯電話機と、前記携帯電話機との間でデータの送受信が可能なサーバ装置とから構成され、前記携帯電話機は、ＣＰＵと、メモリと、ＣＣＤカメラと、通信装置とを備え、前記携帯電話機は、識別記号を前記ＣＣＤカメラで撮影し、この撮影した画像データを前記ＣＰＵによる前記メモリ内のプログラム実行に基づいた画像認識により文字データに変換し、この変換した文字データを前記通信装置を通じて前記サーバ装置に送信することを特徴とする。
【００２９】
また、本発明の別のデータ変換システムは、携帯電話機と、前記携帯電話機との間でデータの送受信が可能なサーバ装置とから構成され、前記携帯電話機は、ＣＣＤカメラと、通信装置とを備え、前記サーバ装置は、ＣＰＵと、メモリと、通信装置とを備え、前記携帯電話機は、識別記号を前記ＣＣＤカメラで撮影し、この撮影した画像データを前記通信装置を通じて前記サーバ装置に送信し、前記サーバ装置は、送信されてきた画像データを前記通信装置を通じて受信し、この受信した画像データを前記ＣＰＵによる前記メモリ内のプログラム実行に基づいた画像認識により文字データに変換することを特徴とする。
【００３０】
上記データ変換システム、別のデータ変換システムにおいて、前記識別記号は、ポスター、店頭の看板、新聞や雑誌の広告ページ、通信販売のカタログの広告媒体に付されたものである。あるいは、前記識別記号は、サービスの利用の前に発行される見積書、会計終了後に発行される領収書の取引書類に付されたものであってもよいし、店頭広告用のディスプレイ装置、メッセージボード、ショッピングサイトのコンテンツの表示媒体に表示されたものであってもよい。
【００３１】
また、上記データ変換システム、別のデータ変換システムにおいて、前記識別記号は、文字列、バーコードの記号から構成されたものである。
【発明の効果】
【００３２】
本発明によれば、各利用者に課される作業を少なくしつつ、組織内の各グループに適切な報酬を得ることができる。
【００３３】
また、識別情報を送信した利用者を会員として登録する場合には、利用者側及び組織側の双方に面倒な入力作業が必要なくなるため、組織が会員を効率的に獲得、登録できるようになる。
【００３４】
さらに、識別情報の登録状況に応じてインセンティブを付与することによって、各利用者も利益を得ることができるようになる。
【００３５】
特に、本発明によれば、携帯電話機とサーバ装置との間のデータ変換システムを提供することができる。
【発明を実施するための最良の形態】
【００３６】
以下、添付図面を参照して、本発明の実施の形態について説明する。
【００３７】
図１は、この実施の形態にかかる会員登録システムの全体構成を示す図である。この会員登録システムは、各グループ企業の利用者を企業グループ全体の会員として獲得、登録するためのシステムであり、利用者の会員登録により各グループ企業に付与する報酬を決定するためのシステムである。このシステムは、図示するように、企業グループ全体の統括本部で管理するサーバ装置１と、各グループ企業に属する複数の企業端末装置２と、各利用者がそれぞれ所有する複数の携帯電話機３とから構成されている。
【００３８】
各企業端末装置２は、インターネット４を介してサーバ装置１と通信可能に構成されており、各携帯電話機３は、基地局５及びインターネット４を介してサーバ装置１と通信可能に構成されている。ここで、各グループ企業は、例えば、それぞれが和風、洋風などの特色を有し、１または複数の店舗を有する居酒屋チェーンであり、これら複数形態の居酒屋チェーン全体として企業グループとすることができる。
【００３９】
いずれかのグループ企業に属する各店舗には、そのグループ企業毎に固有の識別記号６０が付された会員募集用のポスター６が貼られている。携帯電話機３の利用者である各グループ企業の顧客は、自己の携帯電話機３でその識別記号６０を撮影し、撮影した識別記号６０と共に自己に関する情報をサーバ装置１に送ることで、当該企業グループの会員として登録するものである。識別記号６０としては、文字列、バーコードなどの記号のいずれも適用することができるが、ここでは、文字列によって識別記号６０が構成されているものとする。
【００４０】
図２は、図１のサーバ装置１の構成を示すブロック図である。図示するように、サーバ装置１は、ＣＰＵ（Ｃｅｎｔｒａｌ  Ｐｒｏｃｅｓｓｉｎｇ  Ｕｎｉｔ）１１と、メモリ１２と、通信装置１３と、企業情報データベース１４と、会員情報データベース１５とを備えている。
【００４１】
ＣＰＵ１１は、メモリ１２に記憶された後述するようなプログラムを実行する。メモリ１２は、ＣＰＵ１１が実行すべきプログラムを記憶すると共に、プログラム実行時におけるワークエリアとして使用される。通信装置１３は、インターネット４を介して各企業端末装置２と、さらに基地局５を介して携帯電話機３と情報を送受信する。
【００４２】
企業情報データベース１４は、各グループ企業に関する情報を記憶するデータベースである。会員情報データベース１５は、いずれか１以上のグループ企業を利用し、携帯電話機３からの識別記号６０の送信によって会員となった利用者に関する情報を記憶するデータベースである。
【００４３】
図３は、会員情報データベース１５の構成を示す図である。図示するように、会員情報データベース１５は、会員となった携帯電話機３の利用者毎に１レコードのデータとして記憶する。各レコードは、会員識別情報（携帯電話番号）と、インセンティブ情報と、１以上の識別記号とから構成され、識別記号の数に従った可変長レコードとなっていて、各レコードの最後にはレコードの終わりであることを示す情報（ＥＯＲ：Ｅｎｄ  Ｏｆ  Ｒｅｃｏｒｄ）が付されている。
【００４４】
会員識別情報としての携帯電話番号は、識別記号６０の送信時に携帯電話機３から送られてきた発信者番号としての携帯電話番号である。インセンティブ情報は、後述する集計処理において各利用者に付与されるインセンティブの内容を示すものであり、未だインセンティブが付与されていない場合には、「なし」という情報が入れられる。１以上の識別記号は、当該利用者の携帯電話機３から文字データに変換されて送られてきた識別記号６０である。
【００４５】
図４は、図１の企業端末装置２の構成を示すブロック図である。図示するように、企業端末装置２は、ＣＰＵ２１と、メモリ２２と、入力装置２３と、表示装置２４と、印字装置２５と、通信装置２６とを備えている。
【００４６】
ＣＰＵ２１は、メモリ２２に記憶された後述するようなプログラムを実行する。メモリ２２は、ＣＰＵ２１が実行すべきプログラムを記憶すると共に、プログラム実行時におけるワークエリアとして使用される。入力装置２３は、キーボード、マウスなどによって構成され、後述する会員情報、マーケティングデータに対する要求を入力する。表示装置２４は、要求に従ってサーバ装置１から送られてきた会員情報、マーケティングデータなどの情報を表示し、印字装置２５は、これらの情報を用紙上に印刷して出力する。通信装置２６は、インターネット４を介してサーバ装置１と情報を送受信する。
【００４７】
図５は、図１の携帯電話機３の構成を示すブロック図である。但し、この図では、この実施の形態における会員登録の処理とは無関係な通話機能などに関する部分は省略している。図示するように、携帯電話機３は、ＣＰＵ３１と、メモリ３２と、キー入力装置３３と、ＣＣＤカメラ３４と、表示装置３５と、アンテナ３７から電波に重畳された信号を送受信する通信装置３６とを備えている。
【００４８】
ＣＰＵ３１は、メモリ３２に記憶された後述するようなプログラムを実行する。メモリ３２は、ＣＰＵ３１が実行すべきプログラムを記憶すると共に、プログラム実行時におけるワークエリアとして使用される。キー入力装置３３は、通話を行う際に電話番号を入力する各種キーを含む入力装置であり、ここでは、識別記号６０の撮影及び送信の指示、後述するインセンティブに関する情報の要求、表示画面切り替えの指示などを入力するために用いられる。
【００４９】
ＣＣＤカメラ３４は、ポスター６に付された識別記号６０その他の画像を撮影するカメラである。表示装置３５は、要求に従ってサーバ装置１から送られてきたインセンティブに関する情報などを表示する。通信装置３６は、通話の際には音声信号の送受信にも用いられるが、ここでは、基地局５及びインターネット４を介してサーバ装置１と情報を送受信する。
【００５０】
以下、この実施の形態にかかる会員登録システムにおける処理について説明する。この会員登録システムにおける処理は、主として、（１）グループ企業を利用する顧客を会員として登録するための処理（２）登録会員を集計し、各会員及び各グループ企業に利益供与するための処理（３）登録会員及び各グループ企業に情報を提供するための処理の３つに大きく分けられる。以下、それぞれについて詳しく説明する。
【００５１】
（１）会員登録処理図６は、会員登録処理を示すフローチャートである。この処理は、サーバ装置１と携帯電話機３との間で行われる。まず、携帯電話機３の所有者がグループ企業のいずれかの店舗を利用した場合、この企業グループの顧客としての会員登録を行うため、当該店舗内に掲示されたポスター６に付された識別記号６０を、ＣＣＤカメラ３４で撮影する（ステップＳ１１１）。
【００５２】
次に、ＣＰＵ３１は、撮影した識別記号６０を文字認識し、文字データに変換する（ステップＳ１１２）。そして、発信者を通知しつつ、画像認識により文字データに変換した識別記号６０を、通信装置３６から基地局５及びインターネット４を介してサーバ装置１に送信する（ステップＳ１１３）。これで、携帯電話機３の側の処理を終了する。
【００５３】
一方、サーバ装置１では、ＣＰＵ１１は、通信装置１３が携帯電話機３から送られてくる識別記号６０を受信したかどうかを判定している（ステップＳ１２１）。識別記号６０を受信していなければ、ステップＳ１２１の処理を繰り返し行い、識別記号６０の受信までそのまま待機する。
【００５４】
識別記号６０を受信した場合には、ＣＰＵ１１は、会員情報データベース１５の中から識別記号６０の受信時に通知された発信者に関するレコードを調べ（ステップＳ１２２）、当該発信者に関するレコードが既に作成されているかどうかを判定する（ステップＳ１２３）。当該発信者に関するレコードが既に作成されている場合には、ＣＰＵ１１は、受信した識別記号６０をさらに当該レコードに付け加えて、会員情報データベース１５に登録する（ステップＳ１２４）。そして、ステップＳ１２１の処理に戻る。
【００５５】
一方、当該発信者に関するレコードが作成されていなかった場合には、ＣＰＵ１１は、当該発信者に関するレコードを新たな会員情報として会員情報データベース１５中に新たに作成する（ステップＳ１２５）。そして、受信した識別記号６０を新たに作成したレコードに付け加えて、会員情報データベース１５に登録する（ステップＳ１２６）。そして、ステップＳ１２１の処理に戻る。サーバ装置１で以上の処理を繰り返し行うことによって、会員情報が蓄積されていく。
【００５６】
（２）集計処理図７は、集計処理を示すフローチャートである。この処理は、サーバ装置１において、図６のフローチャートの処理と並行して行われる。ＣＰＵ１１は、予め定められた集計処理を行うべき所定期日が到来したかどうかを判断する（ステップＳ２０１）。この所定期日が到来するまではステップＳ２０１の処理を繰り返し、所定期日の到来を待機する。
【００５７】
所定期日が到来すると、ＣＰＵ１１は、会員情報データベース１５から順番に１レコードずつ取り出す（ステップＳ２０２）。そして、取り出したレコードに含まれている識別記号の数を数え、その数に従って当該レコードのインセンティブ情報の内容を更新する（ステップＳ２０３）。もっとも、前回の期日から識別情報の数に変化がなければ、インセンティブ情報の内容は更新されない。
【００５８】
また、取り出したレコードに含まれる識別記号６０の種類毎に、対応するカウンタの値をカウントアップする（ステップＳ２０４）。さらに、取り出したレコードに含まれる識別記号６０の組み合わせに応じて、対応するカウンタの値をカウントアップする（ステップＳ２０５）。次に、ＣＰＵ１１は、会員情報データベース１５に取り出してないレコードがあるかどうかを判定する（ステップＳ２０６）。取り出していないレコードがある場合には、次のレコードに進んで（ステップＳ２０７）、ステップＳ２０２の処理に戻る。
【００５９】
取り出していないレコードがなくなった場合には、ステップＳ２０４でのカウントの最終結果に応じて、各グループ企業に付与する報酬を決定し、企業情報データベース１４に記憶する（ステップＳ２０８）。さらに、ステップＳ２０５でのカウントの最終結果に応じて、各グループ企業の利用状況に関するマーケティングデータを作成し、企業情報データベース１４に記憶する（ステップＳ２０９）。そして、ステップＳ２０１の処理に戻り、次の期日が到来するのを待機する。
【００６０】
（３）情報提供処理図８は、情報提供処理を示すフローチャートである。この処理も、サーバ装置１と企業端末装置２との間、或いはサーバ装置１と携帯電話機３との間で行われる。サーバ装置１における処理は、図６、図７のフローチャートの処理と並行して行われ、携帯電話機３における処理は、図６のフローチャートの処理と並行して行われる。
【００６１】
携帯電話機３において、利用者がキー入力装置３３を操作することにより、インセンティブ情報を送信させるための要求を入力して、通信装置３６からアンテナ３７、基地局５及びインターネット４を介してサーバ装置１に送信させる（ステップＳ３１１）。一方、企業端末装置２において、オペレータが入力装置２３を操作することにより、決定された報酬に関する情報またはマーケティングデータを送信させるための要求を入力して、通信装置２６からインターネット４を介してサーバ装置１に送信させる（ステップＳ３３１）。
【００６２】
サーバ装置１では、ＣＰＵ１１は、通信装置１３が携帯電話機３からの要求または企業端末装置２からの要求を受信したかどうかを判定している（ステップＳ３２１）。携帯電話機３と企業端末装置２とのいずれからも要求を受信していない場合には、ステップＳ３２１の処理を繰り返して行い、要求を受信するまで待機する。
【００６３】
携帯電話機３または企業端末装置２からの要求を受信した場合には、ＣＰＵ１１は、要求された情報を企業情報データベース１４または会員情報データベース１５から取り出し、要求元の携帯電話機３または企業端末装置２に返送する（ステップＳ３２２）。そして、ステップＳ３２１の処理に戻る。
【００６４】
携帯電話機３では、通信装置３６がサーバ装置１から送られてきたインセンティブ情報を受信し（ステップＳ３１２）、これを表示装置３５に表示させる（ステップＳ３１３）。以上のような処理で、携帯電話機３における処理を終了する。なお、携帯電話機３の利用者は、インセンティブ情報を表示装置３５に表示させて各店舗で提示することによって、料金の割り引きなどのサービスを受けることが可能となる。
【００６５】
一方、企業端末装置２では、通信装置２６がサーバ装置１から送られてきた報酬情報またはマーケティングデータを受信し（ステップＳ３３２）、これを表示装置２４に表示させる（ステップＳ３３３）。なお、この報酬情報またはマーケティングデータは、印字装置２５により用紙上に印刷して出力することもできる。以上のような処理で、企業端末装置２における処理を終了する。
【００６６】
以上説明したように、この実施の形態にかかる会員登録システムでは、グループ企業の店舗を利用した者は、その店舗内に掲示されているポスター６に付された識別記号６０を撮影し、サーバ装置１に送るだけで、当該企業グループの顧客会員としての登録ができるようになっている。店舗の利用者は、フォームへの書き込みなどの必要がなく、会員登録の手続きが容易に行える。店舗側では、ポスター６を掲示する以外には、何も必要な作業がない。このため、その店舗が属する企業グループは、その利用者を会員として効率的に獲得し、登録することができるようになる。
【００６７】
また、各利用者は、会員登録を行っても携帯電話番号以外に自己に関する情報が知られることがなく、安心して会員登録をすることができる。これにより、企業グループの側からしても、多くの会員を獲得できるようになる。また、多くの店舗を利用して識別記号６０を送信し、会員登録を行うことによって、利用者にはインセンティブが付されて、それによる利益を得ることができる。さらに、各店舗でも、会員の獲得状況に従って報酬が決定されるので、会員の獲得に貢献することによる利益を得ることができ、作成されたマーケティングデータを効果的に利用可能となることによる利益も得られる。
【００６８】
本発明は、上記の実施の形態に限られず、種々の変形、応用が可能である。以下、本発明に適用可能な上記の実施の形態の変形態様について説明する。
【００６９】
上記の実施の形態では、ポスター６に付された識別記号６０を携帯電話機３のＣＣＤカメラ３４で撮影した後、画像認識により文字データに変換してサーバ装置１に送信していた。これに対して、アルファベットや数字などの文字列からなるものであれば、識別記号６０をキー入力装置３３から入力し、サーバ装置１に送信するものとしてもよい。また、識別記号６０を画像データのまま携帯電話機３からサーバ装置１に送信し、サーバ装置１において文字データに変換するものとしてもよい。デジタルスチルカメラやスキャナで識別記号６０を取り込み、これと接続された通信機器からサーバ装置１に送信してもよい。
【００７０】
携帯電話機３で入力し、サーバ装置１に送信する識別情報６０は、ポスター６のような広告媒体に付すものだけでなく、店頭の看板、或いは新聞や雑誌の広告ページ、通信販売のカタログなどに付すものであってもよい。また、サービスの利用の前に発行される見積書や、会計終了後に発行される領収書（レジスターから出力されるレシートを含む）などの取引書類に付されたものであってもよい。店頭広告用のディスプレイ装置、メッセージボードなどに識別情報を表示してもよい。ショッピングサイトのコンテンツに表示されるものであってもよく、この場合は、バナー広告のように識別記号にカーソルを合わせて選択入力を行うことによって、その識別記号がサーバ装置１に送られるものとすることもできる。このように、様々な取引媒体に対して本発明の適用が可能である。
【００７１】
さらに、ポスター６に識別記号６０を付す代わりに、ポスター６に対してブルートゥース技術を適用し、これ自身が利用者の携帯電話機３と通信を行って、当該利用者を会員として登録できるようにしてもよい。
【００７２】
上記の実施の形態では、各利用者（会員）に付与するインセンティブの決定は、各利用者について会員情報データベース１５に登録された識別記号６０の数に基づいて単純に決定していた。各グループ企業に付与する報酬についても同様であった。これに対して、会員情報データベース１５に各識別記号６０が登録された日時に関する情報も記憶しておき、前回の期日から今回の期日までの間で登録された識別情報６０の数に基づいて、インセンティブや報酬を決定するものとしてもよい。
【００７３】
また、各利用者の会員登録という一段階で各グループ企業に付与する報酬を決定するだけでなく、報酬を複数段階で付与するということもできる。例えば、利用者が識別記号６０を送ったときには未だ会員登録を行わず、会員登録用のフォームをサーバ装置１から当該利用者の携帯電話機３に送信する。このとき、識別記号６０に対応するグループ企業に一段階目の報酬を付与するものとする。次に、この利用者が送られてきたフォームに従って実際に会員登録を要求し、会員情報データベース１５に登録した場合に、対応するグループ企業に二段階目の報酬を付与するものとすることができる。なお、二段階目の報酬の付与先となるグループ企業を判別するために、会員登録用のフォームも、識別記号６０と同様にグループ企業毎に固有のものとすればよい。
【００７４】
さらに、グループ企業への報酬の付与対象とするのは、これだけに限られない。例えば、利用者がアンケートに回答したり、資料を請求したりすることによってグループ企業に報酬を付与することもできる。上記のように会員登録が最終段階となるのではなく、アンケートの回答や資料の請求が最終段階であってもよい。また、アンケートや資料請求のためのフォームの請求を第一段階、アンケートへの回答や資料の請求が第二段階、その後会員登録を行うことを第三段階として、グループ企業に報酬を付与することもできる。また、同じ会員登録でも、正会員への登録と準会員への登録とでグループ企業に支払う報酬の額に差を設けることもできる。
【００７５】
また、識別記号の送信、アンケートへの回答や資料の請求、会員登録という流れは、必ずしもこの通りの流れで行わなければならない訳ではない。例えば、携帯電話機３から識別記号６０をサーバ装置１に送ることにより、サーバ装置１から送られてくるデータに基づいて表示装置３５に表示される画面により、（１）アンケートへの回答、（２）資料の請求、（３）会員登録、の３つから利用者が所望のものを選択できるようにしてもよい。ここで利用者が何を選択してサーバ装置１に送信したかによって、各グループ企業に付与する報酬の額に差異を設けるものとしてもよい。
【００７６】
上記の実施の形態では、会員情報データベース１５には、会員識別情報に対応付けて、インセンティブ情報と識別記号とを記憶するのみであったが、さらに各会員（携帯電話機３の利用者）の属性（例えば、性別、年齢など）を対応付けて記憶するものとしてもよい。各会員の属性は、識別情報の送信時に同時に送ることも、後から送ることもできる。これにより、会員の属性に応じて、さらに詳細なマーケティングデータを作成することが可能となる。
【００７７】
上記の実施の形態では、サーバ装置１が企業端末装置２に対して提供するのは、決定された報酬情報とマーケティングデータだけであった。これに対して、企業端末装置２の属するグループ企業を利用した会員に関する情報を提供することもできる。この場合、企業端末装置２から当該グループ企業を利用した会員に関する情報の送信をサーバ装置１に要求する。サーバ装置１は、この要求に従って会員情報データベース１５を検索し、そのグループ企業に対応する識別記号６０を登録している会員に関する情報を全て抽出して、要求元の企業端末装置２に返送するものとすればよい。
【００７８】
上記の実施の形態では、インセンティブ情報、報酬情報或いはマーケティングデータは、要求に従ってサーバ装置１から携帯電話機３または企業端末装置２に送信されるものとしていた。これに対して、所定期日毎の集計を行った際に、インセンティブ情報、報酬情報および／またはマーケティングデータを用紙上に印刷して、携帯電話機３の利用者、或いはグループ企業または各店舗に郵送するものとしてもよい。
【００７９】
上記の実施の形態では、図６〜図８に示した処理をそれぞれサーバ装置１、企業端末装置２及び携帯電話機３で行うためのプログラムは、メモリ１２、２２、３２にそれぞれ予め記憶されているものとして説明した。しかしながら、これらのプログラムは、磁気ディスク、光磁気ディスク或いは半導体メモリカードなどのコンピュータ読み取り可能な記録媒体に格納して配布し、これらの記録媒体から読み取ってメモリ１２、２２、３２に記憶させるものとしてもよい。
【００８０】
サーバ装置１及び企業端末装置２のプラットフォームを据置型のコンピュータゲーム装置としたり、携帯電話機３の代わりに通信機能を備えるか携帯電話機に接続可能な携帯型ゲーム装置をプラットフォームとする場合には、このような記録媒体として、ゲームプログラムを記録するＣＤ−ＲＯＭ、ＤＶＤ、ＲＯＭカードなどを使用することができる。さらに、音楽ＣＤ、音楽ＤＶＤ、ＶＣＤ、映像記録ＤＶＤ、ビデオテープなどの音声データや画像データを記憶している記憶媒体にも、上記のプログラムを含ませて記憶させることもできる。
【００８１】
さらに、上記の実施の形態で示したプログラムは、インターネット４上のＷｅｂサーバが有する固定ディスク装置に記憶しておき、インターネット４を介してダウンロードして、メモリ１２、２２、３２に記憶させるものとしてもよい。
【図面の簡単な説明】
【００８２】
【図１】本発明の実施の形態にかかる会員登録システムの全体構成を示す図である。
【図２】図１のサーバ装置の構成を示すブロック図である。
【図３】図２の会員情報データベースの構成を示す図である。
【図４】図１の企業端末装置の構成を示すブロック図である。
【図５】図１の携帯電話機の構成を示すブロック図である。
【図６】サーバ装置と携帯電話機との間で実行される会員登録処理を示すフローチャートである。
【図７】サーバ装置で実行される集計処理を示すフローチャートである。
【図８】サーバ装置と企業端末装置或いは携帯電話機との間で実行される情報提供処理を示すフローチャートである。
【符号の説明】
【００８３】
１  サーバ装置
２  企業端末装置
３  携帯電話機
４  インターネット
５  基地局
６  ポスター
１１  ＣＰＵ
１２  メモリ
１３  通信装置
１４  企業情報データベース
１５  会員情報データベース
２１  ＣＰＵ
２２  メモリ
２３  入力装置
２４  表示装置
２５  印字装置
２６  通信装置
３１  ＣＰＵ
３２  メモリ
３３  キー入力装置
３４  ＣＣＤカメラ
３５  表示装置
３６  通信装置
３７  アンテナ
６０  識別記号
【図１】
2006040288.tif 000003
【図２】
2006040288.tif 000004
【図３】
2006040288.tif 000005
【図４】
2006040288.tif 000006
【図５】
2006040288.tif 000007
【図６】
2006040288.tif 000008
【図７】
2006040288.tif 000009
【図８】
2006040288.tif 000010